(57)【特許請求の範囲】
【請求項１】
情報統合方法であって、
処理部が、記憶部又は他の装置から、同一対象についての形状若しくはスカラー情報及び流れ若しくはベクトル情報を取得し、
前記処理部が、前記形状若しくはスカラー情報から流れの最速候補領域又は形状中心線を抽出し、
前記処理部が、前記流れ若しくはベクトル情報から管内流れの最速領域又は流れ中心線を抽出し、
前記処理部が、抽出された前記最速候補領域又は前記形状中心線と、抽出された前記最速領域又は前記流れ中心線との位置合わせを行い、前記形状若しくはスカラー情報及び前記流れ若しくはベクトル情報間の相対位置を求め、
前記処理部が、前記形状若しくはスカラー情報及び前記流れ若しくはベクトル情報を、前記相対位置を用いて統合して統合情報を形成し、前記統合情報を前記記憶部に記憶する及び／又は表示部に表示する
情報統合方法。
【請求項２】
請求項１に記載の情報統合方法において、
前記処理部が、第１の測定装置が測定した前記形状若しくはスカラー情報又は前記第１の測定装置が測定した形状若しくはスカラー画像から得られる前記形状若しくはスカラー情報、及び、第２の測定装置が測定した前記流れ若しくはベクトル情報又は前記第２の測定装置が測定した流れ若しくはベクトル画像から得られる前記流れ若しくはベクトル情報を、前記記憶部に記憶することを特徴とする情報統合方法。
【請求項３】
請求項１又は２に記載の情報統合方法において、
前記処理部が、前記形状若しくはスカラー情報及び／又は前記流れ若しくはベクトル情報を、予め定められた閾値又は方向に基づき限定した後に、前記形状若しくはスカラー情報から流れの最速候補領域又は形状中心線を抽出する、及び／又は、前記流れ若しくはベクトル情報から管内流れの最速領域又は流れ中心線を抽出することを特徴とする情報統合方法。
【請求項４】
請求項１乃至３のいずれかに記載の情報統合方法において、
前記処理部が、さらに前記形状若しくはスカラー情報及び／又は前記流れ若しくはベクトル情報を、前記統合情報と共に前記表示部に表示することを特徴とする情報統合方法。
【請求項５】
請求項１乃至４のいずれかに記載の情報統合方法において、
前記処理部が、さらに、前記形状若しくはスカラー情報、前記流れ若しくはベクトル情報、及び、前記統合情報を、予め定められた時間間隔ごとに取得及び形成し、これら情報を、前記記憶部に記憶し、及び／又は、前記表示部に時間変化を動画により表示又は複数の連続する静止画により表示することを特徴とする情報統合方法。
【請求項６】
請求項１乃至５のいずれかに記載の情報統合方法において、
前記形状若しくはスカラー情報と前記流れ若しくはベクトル情報は、血管・血流、リンパ等の医用画像、航空機・ロケット・自動車・船等、風洞・水流・潮流、地球・宇宙・タイムマシン・その他の物理学のいずれかの技術分野で、同一対象から取得した情報であることを特徴とする情報統合方法。
【請求項７】
請求項１乃至６のいずれかに記載の情報統合方法において、
前記形状若しくはスカラー情報は、各種ＴＯＦ−ＭＲＡ（ｔｉｍｅ−ｏｆ−ｆｌｉｇｈｔ  ＭＲ  ａｎｇｉｏｇｒａｐｈｙ）、３次元血管撮影、ＣＴアンギオグラフィーのいずれかによる取得情報又は画像に基づく情報であり、
前記流れ若しくはベクトル情報は、ＰＣ−ＭＲＡ（ｐｈａｓｅ−ｃｏｎｔｒａｓｔ  ＭＲ  ａｎｇｉｏｇｒａｐｈｙ）、脳血管撮影、インドシアニングリーンを用いた蛍光血管撮影、超音波のいずれかによる取得情報又は画像に基づく情報である
ことを特徴とする情報統合方法。
【請求項８】
請求項１乃至７のいずれかに記載の情報統合方法において、
前記形状若しくはスカラー情報と前記流れ若しくはベクトル情報は、それぞれ、血管形状情報と血流情報、又は、リンパ管形状とリンパ流情報であることを特徴とする情報統合方法。
【請求項９】
情報統合装置であって、
形状若しくはスカラー情報及び流れ若しくはベクトル情報及びこれら両情報を統合した統合情報を記憶する記憶部と、
表示部と、
処理部と、
を備え、
前記処理部が、記憶部又は他の装置から、同一対象についての形状若しくはスカラー情報及び流れ若しくはベクトル情報を取得し、
前記処理部が、前記形状若しくはスカラー情報から流れの最速候補領域又は形状中心線を抽出し、
前記処理部が、前記流れ若しくはベクトル情報から管内流れの最速領域又は流れ中心線を抽出し、
前記処理部が、抽出された前記最速候補領域又は前記形状中心線と、抽出された前記最速領域又は前記流れ中心線との位置合わせを行い、前記形状若しくはスカラー情報及び前記流れ若しくはベクトル情報間の相対位置を求め、
前記処理部が、前記形状若しくはスカラー情報及び前記流れ若しくはベクトル情報を、前記相対位置を用いて統合して統合情報を形成し、前記統合情報を前記記憶部に記憶する及び／又は前記表示部に表示する
情報統合装置。
【請求項１０】
情報統合システムであって、
前記形状若しくはスカラー情報を測定する第１の測定装置と、
前記流れ若しくはベクトル情報を測定する第２の測定装置と
前記第１の測定装置及び前記第２の測定装置から、それぞれ前記形状若しくはスカラー情報及び前記流れ若しくはベクトル情報を入力する、請求項９に記載された情報統合装置と、
を備えた情報統合システム。
【請求項１１】
情報統合プログラムであって、
処理部が、記憶部又は他の装置から、同一対象についての形状若しくはスカラー情報及び流れ若しくはベクトル情報を取得するステップと、
前記処理部が、前記形状若しくはスカラー情報から流れの最速候補領域又は形状中心線を抽出するステップと、
前記処理部が、前記流れ若しくはベクトル情報から管内流れの最速領域又は流れ中心線を抽出するステップと、
前記処理部が、抽出された前記最速候補領域又は前記形状中心線と、抽出された前記最速領域又は前記流れ中心線との位置合わせを行い、前記形状若しくはスカラー情報及び前記流れ若しくはベクトル情報間の相対位置を求めるステップと、
前記処理部が、前記形状若しくはスカラー情報及び前記流れ若しくはベクトル情報を、前記相対位置を用いて統合して統合情報を形成し、前記統合情報を前記記憶部に記憶する及び／又は表示部に表示するステップと
をコンピュータに実行させるための情報統合プログラム。
【発明の詳細な説明】
【技術分野】
【０００１】
本発明は、情報統合方法及び装置及びシステム及びプログラムに係り、特に、形状（スカラー）情報と流れ（ベクトル）情報がそれぞれ取得された場合に、両情報を統合するための情報統合方法及び装置及びシステム及びプログラムに関する。
【背景技術】
【０００２】
図１１に、従来の流体解析の説明図を示す。
従来の数値流体力学（Ｃｏｍｐｕｔａｔｉｏｎａｌ  Ｆｌｕｉｄ  Ｄｙｎａｍｉｃｓ）は、主に、流体の運動に関する方程式をコンピュータで解くことによって流れを観察する数値解析・シミュレーション方法を用いていた。この場合、コンピュータに、全ての「入り口」と「出口」に流速を予め与え、その「あいだ」の流れをコンピュータで計算する。血流等の医用画像、航空機・自動車・風洞実験・水流など、ほとんどの流体解析は、このような方法が用いられている。
【０００３】
また、特許文献１には、「第１の画像データセットと第２の画像データセットとの間における位置合わせに関する第１の位置合わせと、第１の画像データセットと第２の画像データセットとの間の第１の位置合わせとは異なる位置合わせに関する第２の位置合わせとを実施する位置合わせユニットと、第１の位置合わせと第２の位置合わせとによる位置合わせの差に基づいて、第１の画像データセットと第２の画像データセットとの間の整合性度合いを判定する整合性判定ユニットと、を具備」し、「複数の医用画像の位置合わせにおいて、位置合わせの度合いを判定可能な医用画像処理装置」が開示されている（要約参照）。
【先行技術文献】
【特許文献】
【０００４】
【特許文献１】特開２０１４−１７１８６７号公報
【発明の概要】
【発明が解決しようとする課題】
【０００５】
従来の流体解析の場合、コンピュータには、通常、全ての「入り口」と「出口」に流速を予め与えなくてはならず、その「あいだ」の流れをコンピュータで計算しているだけであり、さらに「形状」がないと計算できない。また、通常、流れが途中で途切れていても、コンピュータは計算することができない。
また、従来より、形状をモデル化しシミュレーションを行う研究はなされているが、実際の画像を用いた形状（スカラー）情報と流れ（ベクトル）情報の統合は行われていない。
【０００６】
本発明は、以上の点に鑑み、形状（スカラー）情報と流れ（ベクトル）情報とを統合して統合情報を求めることを目的とする。
【課題を解決するための手段】
【０００７】
本発明の第１の解決手段によると、
情報統合方法であって、
処理部が、記憶部又は他の装置から、同一対象についての形状若しくはスカラー情報及び流れ若しくはベクトル情報を取得し、
前記処理部が、前記形状若しくはスカラー情報から流れの最速候補領域又は形状中心線を抽出し、
前記処理部が、前記流れ若しくはベクトル情報から管内流れの最速領域又は流れ中心線を抽出し、
前記処理部が、抽出された前記最速候補領域又は前記形状中心線と、抽出された前記最速領域又は前記流れ中心線との位置合わせを行い、前記形状若しくはスカラー情報及び前記流れ若しくはベクトル情報間の相対位置を求め、
前記処理部が、前記形状若しくはスカラー情報及び前記流れ若しくはベクトル情報を、前記相対位置を用いて統合して統合情報を形成し、前記統合情報を前記記憶部に記憶する及び／又は表示部に表示する
情報統合方法が提供される。
【０００８】
本発明の第２の解決手段によると、
情報統合装置であって、
形状若しくはスカラー情報及び流れ若しくはベクトル情報及びこれら両情報を統合した統合情報を記憶する記憶部と、
表示部と、
処理部と、
を備え、
前記処理部が、記憶部又は他の装置から、同一対象についての形状若しくはスカラー情報及び流れ若しくはベクトル情報を取得し、
前記処理部が、前記形状若しくはスカラー情報から流れの最速候補領域又は形状中心線を抽出し、
前記処理部が、前記流れ若しくはベクトル情報から管内流れの最速領域又は流れ中心線を抽出し、
前記処理部が、抽出された前記最速候補領域又は前記形状中心線と、抽出された前記最速領域又は前記流れ中心線との位置合わせを行い、前記形状若しくはスカラー情報及び前記流れ若しくはベクトル情報間の相対位置を求め、
前記処理部が、前記形状若しくはスカラー情報及び前記流れ若しくはベクトル情報を、前記相対位置を用いて統合して統合情報を形成し、前記統合情報を前記記憶部に記憶する及び／又は前記表示部に表示する
情報統合装置が提供される。
【０００９】
本発明の第３の解決手段によると、
情報統合システムであって、
前記形状若しくはスカラー情報を測定する第１の測定装置と、
前記流れ若しくはベクトル情報を測定する第２の測定装置と
前記第１の測定装置及び前記第２の測定装置から、それぞれ前記形状若しくはスカラー情報及び前記流れ若しくはベクトル情報を入力する、上述のような情報統合装置と、
を備えた情報統合システムが提供される。
【００１０】
本発明の第４の解決手段によると、
情報統合プログラムであって、
処理部が、記憶部又は他の装置から、同一対象についての形状若しくはスカラー情報及び流れ若しくはベクトル情報を取得するステップと、
前記処理部が、前記形状若しくはスカラー情報から流れの最速候補領域又は形状中心線を抽出するステップと、
前記処理部が、前記流れ若しくはベクトル情報から管内流れの最速領域又は流れ中心線を抽出するステップと、
前記処理部が、抽出された前記最速候補領域又は前記形状中心線と、抽出された前記最速領域又は前記流れ中心線との位置合わせを行い、前記形状若しくはスカラー情報及び前記流れ若しくはベクトル情報間の相対位置を求めるステップと、
前記処理部が、前記形状若しくはスカラー情報及び前記流れ若しくはベクトル情報を、前記相対位置を用いて統合して統合情報を形成し、前記統合情報を前記記憶部に記憶する及び／又は表示部に表示するステップと
をコンピュータに実行させるための情報統合プログラムが提供される。
【発明の効果】
【００１１】
本発明によると、形状（スカラー）情報と流れ（ベクトル）情報とを統合して統合情報を求めることができる。
【図面の簡単な説明】
【００１２】
【図１】情報統合システムの構成図。
【図２】情報統合装置の構成図。
【図３】統合情報ファイルのデータフォーマットの説明図。
【図４】情報統合処理のフローチャート。
【図５】形状（スカラー）情報の説明図。
【図６】流れ（ベクトル）情報の説明図。
【図７】形状（スカラー）情報の最速候補領域又は形状中心線の説明図。
【図８】流れ（ベクトル）情報の最速領域又は流れ中心線の説明図。
【図９】位置合わせ処理及び統合情報の説明図。
【図１０】（Ａ）血管形状（スカラー）情報の最速候補領域又は形状中心線の説明図、（Ｂ）血流（ベクトル）情報の最速領域又は流れ中心線の説明図。
【図１１】従来の流体解析の説明図。
【発明を実施するための形態】
【００１３】
１．情報統合処理
図１に、情報統合システムの構成図を示す。
本システムは、情報統合装置１０、形状（スカラー）情報測定装置２０、流れ（ベクトル）情報測定装置３０を備える。なお、情報統合装置１０と、形状（スカラー）情報測定装置２０及び流れ（ベクトル）情報測定装置３０とは、図示のように、有線又は無線の適宜のネットワークを介して接続されるようにしてもよいし、ネットワークを介さないで接続されるようにしてもよい。また、情報統合装置１０は、形状（スカラー）情報測定装置２０及び流れ（ベクトル）情報測定装置３０とは接続されず、形状（スカラー）情報測定装置２０及び流れ（ベクトル）情報測定装置３０が測定した情報を、予め入力し、内部に記憶しておいてもよい。
【００１４】
図２に、情報統合装置の構成図を示す。
情報統合装置１０は、処理部１、入力部２、表示部３、インタフェース部（Ｉ／Ｆ）４、記憶部５を備える。Ｉ／Ｆ４は、形状（スカラー）情報測定装置２０及び流れ（ベクトル）情報測定装置３０と接続し、それぞれ形状（スカラー）情報画像及び流れ（ベクトル）情報画像を入力するためのインタフェースである。記憶部５は、統合情報ファイル５０を含む。
【００１５】
図３に、統合情報ファイルのデータフォーマットの説明図を示す。
図３（Ａ）は統合情報ファイル５０の第１の例を示す。
ここでは、統合情報ファイル５０は、識別情報（ＩＤ）５１毎に、形状（スカラー）情報５２及び流れ（ベクトル）情報５３及びこれら両情報を統合した統合情報５４が記憶される。
図３（Ｂ）は統合情報ファイル５０の第２の例を示す。統合情報ファイル５０は、ＩＤ毎の形状（スカラー）情報画像及び流れ（ベクトル）情報画像及び統合情報を別々のファイル５５〜５７に記憶する。
【００１６】
図４に、情報統合処理のフローチャートを示す。
以下に、形状（スカラー）情報と流れ（ベクトル）情報がそれぞれ取得された場合の情報統合処理について説明する。情報統合処理は、具体的には、例えば管状等の形状およびその流れを対象とすることができ、内部を層流が流れていることを利用して統合することができる。
一例として、処理部１は、形状（スカラー）情報測定装置２０が測定した形状（スカラー）情報をＩ／Ｆ４を介して入力して記憶部５の統合情報ファイル５０にＩＤ毎に予め記憶しているものとすることができる。あるいは、処理部１は、形状（スカラー）情報測定装置２０が測定した形状情報画像をＩ／Ｆ４を介して入力して、形状情報画像から形状（スカラー）情報を抽出等により得て、記憶部５の統合情報ファイル５０にＩＤ毎に予め記憶しているものとすることができる。
また、処理部１は、流れ（ベクトル）情報測定装置３０が測定した流れ（ベクトル）情報をＩ／Ｆ４を介して入力して記憶部５の統合情報ファイル５０にＩＤ毎に予め記憶しているものとすることができる。あるいは、処理部１は、流れ（ベクトル）情報測定装置３０が測定した流れ情報画像をＩ／Ｆ４を介して入力して、流れ情報画像から流れ（ベクトル）情報を抽出等により得て、記憶部５の統合情報ファイル５０にＩＤ毎に予め記憶しているものとすることができる。
なお、処理部１は、対象がひとつであったり、予め指定されている等の場合は、ＩＤを省略し、ＩＤ毎に処理しなくてもよい（以下の処理において同様）。
【００１７】
以下に、手順を述べる。
ステップＳ１０１で、処理部１は、入力部２等により指定されたＩＤに従い、記憶部５の統合情報ファイル５０に記憶されている形状（スカラー）情報を取得する。
図５に、形状（スカラー）情報の説明図を示す。
ステップＳ１０３で、処理部１は、入力部２等により指定されたＩＤに従い、記憶部５の統合情報ファイル５０に記憶されている流れ（ベクトル）情報を取得する。
図６に、流れ（ベクトル）情報の説明図を示す。
なお、ステップＳ１０１及び／又はＳ１０３において、形状（スカラー）情報及び／又は流れ（ベクトル）情報が、記憶部５の統合情報ファイル５０に予め記憶されていない場合など、記憶部５からではなく、形状（スカラー）情報測定装置２０及び／又は流れ（ベクトル）情報測定装置３０等から適宜のタイミングで測定画像を入力して、入力したデータから形状（スカラー）情報及び／又は流れ（ベクトル）情報を抽出又は取得してもよい。また、処理部１は、入力した各画像から形状（スカラー）情報及び流れ（ベクトル）情報を抽出又は取得し、これら情報をＩＤ毎に記憶部５の統合情報ファイル５０に記憶してもよい。
【００１８】
ステップＳ１０５で、処理部１は、形状（スカラー）情報から流れの最速候補領域又は形状中心線を抽出する。例えば、処理部１は、管等の方向に対して垂直方向又は略垂直方向の断面における重心位置およびその周辺を流速の高い領域であるとして最速候補領域とすることができる。あるいは、処理部１は、例えば、管等の形状を表す輝度等の形状（スカラー）情報において、管等の方向に対して垂直方向又は略垂直方向の断面における最大輝度等又は輝度等の重心などを形状中心線として取得してもよい。また、処理部１は、形状（スカラー）情報を細線化処理し、形状の中心軸を抽出するようにしてもよい。なお、処理部１は、周辺領域を重心位置に対してガウスフィルターなど各種画像処理手法を用いて取得してもよい。また、処理部１は、形状（スカラー）情報を、予め定められた閾値以上のデータや予め定められた方向のデータ等により、中心付近の領域に限定した後に、形状（スカラー）情報から流れの最速候補領域又は形状中心線を抽出するようにしてもよい。
なお、ここで最速候補領域としている理由は，最速であると仮定しているだけであり、必ずしも最速とは限らないためである。また、最速候補領域又は形状中心線は、例えば、管等の流れに沿ったラインや、管等の流れに沿った幅が一定又は一定でないライン状の領域などで、適宜表すことができる。
【００１９】
ステップＳ１０７で、処理部１は、流れ（ベクトル）情報から管内流れの最速領域又は流れ中心線を抽出する。例えば、処理部１が、最速領域を、流れ方向に対し垂直な方向において速度（ベクトルのノルム値・大きさ）変化が小さくかつ速度が局所的に最大となる領域の集合として抽出することができる。あるいは、処理部１は、各位置における流れ（ベクトル）情報の大きさ（ベクトルのノルム値）が、管等の方向に対して垂直方向又は略垂直方向の断面における最大又は重心等の位置を流れ中心線として取得してもよい。また、処理部１は、得られた流れ（ベクトル）情報に対し、管等の断面方向に対して速度が最大となる位置を抽出し、それを流れ方向につなげることで流れの中心線を取得するようにしてもよい。なお、この時、処理部１は、滑らかさ拘束（流れ方向に対して得られた領域が連続していること）やガウスフィルターなど各種画像処理手法を用いてノイズ除去や情報の強調を行っても良い。また、処理部１は、流れ（ベクトル）情報を、予め定められた閾値以上のデータや予め定められた方向のデータ等により、中心付近の領域に限定した後に、流れ（ベクトル）情報から管内流れの最速領域又は流れ中心線を抽出するようにしてもよい。なお、最速領域又は流れ中心線は、例えば、管等の流れに沿ったラインや、管等の流れに沿った幅が一定又は一定でないライン状の領域などで、適宜表すことができる。
【００２０】
図７に、形状（スカラー）情報の最速修補領域又は形状中心線を示す。
また、図８に、流れ（ベクトル）情報の最速領域又は流れ中心線を示す。
ここでは、最速修補領域又は形状中心線、最速領域又は流れ中心線を、一例として線で表しているが、線以外にもメッシュや他のカラー又は模様等で表してもよい。処理部１は、これら最速修補領域又は形状中心線、最速領域又は流れ中心線を表示部３に表示してもよいし、表示しなくてもよい。また、処理部１は、これら情報を記憶部５に記憶してもよいし、記憶しなくてもよい。
【００２１】
ステップＳ１０９で、処理部１は、ステップＳ１０５で得られた最速候補領域又は形状中心線のいずれかと、ステップＳ１０７で得られた最速領域又は流れ中心線とが一致するとして位置合わせ（レジストレーション）を行う。例えば、処理部１は、ステップＳ１０５で最速候補領域を得て、ステップＳ１０７で最速領域を得た場合、最速候補領域と最速領域とが一致するとして位置合わせ（レジストレーション）を行う。あるいは、処理部１は、ステップＳ１０５で形状中心線を得て、ステップ１０７で流れ中心線を得た場合、形状中心線と流れ中心線とが一致するとして位置合わせ（レジストレーション）を行う。あるいは、最速候補領域と流れ中心線とによる位置合わせ、又は、形状中心線と最速領域とによる位置合わせ（レジストレーション）を行ってもよい。位置合わせ手法は、例えば、領域情報を形状化した後に行う形状間レジストレーション法や画素情報を用いて行う画像間レジストレーション法やその組み合わせを用いたり、各種のレジストレーション処理方法・位置合わせ処理方法を用いることができる。また、処理部１は、ステップＳ１０５で得られた管等の形状中心線と、ステップＳ１０７で得られた流れ中心線をＩｔｅｒａｔｉｖｅ  ｃｌｏｓｅｓｔ  ｐｏｉｎｔ法等の位置合わせ処理により位置合わせするようにしてもよい。
また、ステップＳ１０９で、さらに、処理部１は、得られた相対位置（相対位置姿勢）を、形状（スカラー）情報および流れ（ベクトル）情報間の相対位置（相対位置姿勢）として求める。
【００２２】
ステップＳ１１１で、処理部１は、可視化ソフトウェア等により、ステップＳ１０９で得られた相対位置（相対位置姿勢）を用いて位置合わせ（レジストレーション）することで形状（スカラー）情報および流れ（ベクトル）情報を統合処理して統合情報を形成し、記憶部５の統合情報ファイル５０に、ＩＤ毎に統合情報を記憶し、記憶部５の統合情報ファイル５０を参照し、表示部３に統合情報を表示する。なお、処理部１は、形状（スカラー）情報及び／又は流れ（ベクトル）情報を、統合情報と共に表示部３に表示するようにしてもよい。
図９に、位置合わせ処理及び統合情報の説明図を示す。
図９（Ａ）は、位置合わせ前の表示画像（形状（スカラー）情報と流れ（ベクトル）情報とを重ねた画像）の一例を示し、図９（Ｂ）は、位置合わせ後の表示画像（統合情報の画像）の一例を示す。
【００２３】
（時間変化への応用）
処理部１は、さらに、上述の実施形態の、形状（スカラー）情報、流れ（ベクトル）情報、及び、統合情報を、予め定められた時間間隔ごとに取得及び形成することができる。そして、処理部１は、これら情報を、ＩＤ毎に記憶部５の統合情報ファイル５０に記憶し、また、表示部３に時間変化を動画により表示したり、複数の連続する静止画で表示することができる。
【００２４】
（適用例）
本発明及び／又は本実施の形態は、例えば、以下のように各情報を対応させて通用することができる。
・形状（スカラー）情報：各種ＴＯＦ−ＭＲＡ（ｔｉｍｅ−ｏｆ−ｆｌｉｇｈｔ  ＭＲ  ａｎｇｉｏｇｒａｐｈｙ）、３次元血管撮影、ＣＴアンギオグラフィーなどによる取得情報・画像等に基づく情報
・流れ（ベクトル）情報：ＰＣ−ＭＲＡ（ｐｈａｓｅ−ｃｏｎｔｒａｓｔ  ＭＲ  ａｎｇｉｏｇｒａｐｈｙ）、脳血管撮影、インドシアニングリーンを用いた蛍光血管撮影、超音波などによる取得情報・画像等に基づく情報
【００２５】
また、血管・血流、リンパ等の医用画像、航空機・ロケット・自動車・船等、風洞・水流・潮流、地球・宇宙・タイムマシン（時空転移装置等）などの物理学など、ひとつの（測定）対象（同一（測定）対象）から形状（スカラー）情報と流れ（ベクトル）情報の両情報を取得することができる様々な流体解析に、本発明及び／又は本実施の形態を適用することができる。
【００２６】
２．血管形状情報と血流情報のへの適用
以下に、一例として、血管形状（スカラー）と血流情報（ベクトル）を統合表示することで多次元診断を行う場合ついて説明する。
【００２７】
脳神経外科領域では、医用画像の評価に基づく頭蓋内血管病変の手術適応の判断や治療計画の立案は重要なプロセスであり、血管の病変診断にも使用されてきた。血管病変の評価には血管形状情報と血流情報が必要であるが、血管の形状の３次元画像と血流情報を統合する技術が従来は存在しなかった。
また、血管は様々な医用画像検査から情報が得られる。例えば血管形状情報にはｔｉｍｅ−ｏｆ−ｆｌｉｇｈｔ  ｍａｇｎｅｔｉｃ  ｒｅｓｏｎａｎｃｅ  ａｎｇｉｏｇｒａｐｈｙ（ＴＯＦ−ＭＲＡ）を、血流情報にはｐｈａｓｅ−ｃｏｎｔｒａｓｔ  ｍａｇｎｅｔｉｃ  ｒｅｓｏｎａｎｃｅ  ａｎｇｉｏｇｒａｐｈｙ（ＰＣ−ＭＲＡ）が用いられる。前者はスカラー情報であり後者はベクトル画像であり次元が異なる。そのため形状情報と血流情報を統合し診断を行うためには、異なる次元間の位置合わせ手法を提案する必要がある。従来、例えば、血管形状をモデル化して血流シミュレーションを行う研究はなされているかもしれないが、実際の医用画像を用いた形状と血流情報の統合は行われていない。
【００２８】
そこで、本実施の形態では、ＴＯＦ−ＭＲＩ、ＣＴ、血管撮影などの形状（スカラー）情報測定装置２０による測定画像から血管の形状を抽出して得られる血管形状情報を、形状（スカラー）情報として用いる。また、ＰＣ−ＭＲＡなどの流れ（ベクトル）情報測定装置３０から取得される血流情報を、流れ（ベクトル情報）として用いる。これら形状（スカラー）情報と流れ（ベクトル）情報は、両者ともに同一（同一対象）の血管を撮影したものである。
本実施の形態によると、従来不可能であった、血管形状情報（スカラー情報）と血流情報（ベクトル情報）の統合法を提供することができる。
ここでは、一例として、処理部１により、血管形状情報の最速候補領域又は形状中心線と、血流情報の最速領域又は流れ中心線は共通するという仮定において、これら最速領域又は中心線に関する情報を拘束条件にした画像間位置合わせを行う。
【００２９】
この場合、例えば、図４のフローチャートの前段に、次のような処理１）〜３）を追加して実行することができる。
１）  まず、形状（スカラー）情報測定装置２０及び流れ（ベクトル）情報測定装置３０は、一例として患者のＴＯＦ−ＭＲＡ等およびＰＣ−ＭＲＡ等を測定し、処理部１は、これら両画像を取得する。
２）  処理部１は、形状（スカラー）情報として、ＴＯＦ−ＭＲＡ等から血管形状情報を抽出し、それを記憶部５の統合情報ファイル５０に患者のＩＤ毎に記憶する。
３）  処理部１は、流れ（ベクトル）情報として、ＰＣ−ＭＲＡ等から血流情報を抽出し、それを記憶部５の統合情報ファイル５０に患者のＩＤ毎に記憶する。
４）  処理部１は、取得されたこれら情報を用いて、上述の図４のフローチャートに従い、各ステップを実行することで、統合情報を形成し、表示及び／又は記憶することができる。
【００３０】
図１０（Ａ）に、血管形状（スカラー）情報の最速候補領域又は形状中心線、図１０（Ｂ）に、血流（ベクトル）情報の最速領域又は流れ中心線を示す。
ここでは、最速候補領域又は形状中心線、最速領域又は流れ中心線を、一例として線で表している。処理部１は、これらを表示部３に表示してもよいし、表示しなくてもよい。また、処理部１は、これら情報を記憶部５に記憶してもよいし、記憶しなくてもよい。
処理部１は、最速候補領域又は形状中心線と、最速領域又は流れ中心線との位置合わせを実行する。
【００３１】
このように、本実施の形態によると、ＴＯＦ−ＭＲＡとＰＣ−ＭＲＡを統合表示することで、血管の形状（スカラー）情報と血液の流れ（ベクトル）情報を統合提示することができ、病変部の診断が一層容易に可能となることが期待される。また、本実施の形態は、頭蓋内血管病変（未破裂脳動脈瘤、脳動静脈奇形等）における予後（経過観察中の出血リスク）の評価や出血予防手術（開頭脳動静脈奇形摘出術、開頭血管芽細胞腫摘出術、開頭クリッピング術等）の術前計画（多数ある病変血管の処理する優先順の決定）に適用することが期待される。
【産業上の利用可能性】
【００３２】
本発明の情報統合方法又は情報統合装置・システムは、その各手順をコンピュータに実行させるための情報統合プログラム、情報統合プログラムを記録したコンピュータ読み取り可能な記録媒体、情報統合プログラムを含みコンピュータの内部メモリにロード可能なプログラム製品、そのプログラムを含むサーバ等のコンピュータ、等により提供されることができる。
【符号の説明】
【００３３】
１０  情報統合装置
２０  形状（スカラー）情報測定装置
３０  流れ（ベクトル）情報測定装置
【図１】
0006385876.tif 000002
【図２】
0006385876.tif 000003
【図３】
0006385876.tif 000004
【図４】
0006385876.tif 000005
【図５】
0006385876.tif 000006
【図６】
0006385876.tif 000007
【図７】
0006385876.tif 000008
【図８】
0006385876.tif 000009
【図９】
0006385876.tif 000010
【図１０】
0006385876.tif 000011
【図１１】
0006385876.tif 000012